(57)【要約】【課題】  周波数の広帯域性を有し、広方向性を有するアンテナパターンおよびそれを有する電磁波エネルギー処理装置提供する。【解決手段】  アンテナパターンを構成する導電線が、メッシュ状または連続多角形のマイクロ画像要素線、または併列要素線の集合線で構成され、前記マイクロ画像要素線または併列要素線の線幅が５〜３００μｍ、線間ピッチ間隔が５〜１０００μｍ、最も好ましくは、線幅が５〜３０μｍ、間線ピッチ間隔が５〜１５０μｍであり、該要素線が、導電性粉体を混合した印刷インキまたはペースト剤により印刷され、また、必要によりさらに該印刷面を、加圧処理またはポリッシング処理、または／および無電解メッキを介して、または介さないで直接に導電性メッキを施したアンテナパターンおよびそれを用いた電磁波エネルギー処理装置、特にはシート状のアンテナまたは電磁波遮断フィルター。【選択図】        図１
2005167980.tif 000002
【特許請求の範囲】
【請求項１】
アンテナパターンであって、該アンテナパターンを構成する導線が、メッシュ状または連続多角形のマイクロ画像要素線による集合線または併列要素線による集合線で構成されたことを特徴とするアンテナパターン。
【請求項２】
前記メッシュ状または連続多角形のマイクロ画像要素線または併列要素線が、その線幅が５〜３００μｍ、線間ピッチ間隔が５〜１０００μｍであることを特徴とする請求項１に記載のアンテナパターン。
【請求項３】
前記メッシュ状または連続多角形のマイクロ画像要素線または併列要素線が、その線幅が５〜５０μｍ、間線ピッチ間隔が５〜５００μｍであることを特徴とする請求項１に記載のアンテナパターン。
【請求項４】
前記メッシュ状または連続多角形のマイクロ画像要素線または併列要素線が、その線幅が５〜３０μｍ、間線ピッチ間隔が５〜１５０μｍであることを特徴とする請求項１に記載のアンテナパターン。
【請求項５】
前記メッシュ状または連続多角形のマイクロ画像要素線または併列要素線が、その線幅が３０〜３００μｍ、間線ピッチ間隔が５０〜１０００μｍであることを特徴とする請求項１に記載のアンテナパターン。
【請求項６】
前記メッシュ状または連続多角形のマイクロ画像要素線または併列要素線が、印刷法またはエッチング方式を利用し作成されたものであることを特徴とする請求項１乃至５のいずれか１項に記載のアンテナパターン。
【請求項７】
前記メッシュ状または連続多角形のマイクロ画像要素線または併列要素線が、導電性粉体を混合した印刷インキまたはペースト剤により印刷されたものであることを特徴とする請求項１乃至５のいずれか１項に記載のアンテナパターン。
【請求項８】
前記メッシュ状または連続多角形のマイクロ画像要素線または併列要素線が、導電性粉体を混合した印刷インキまたはペースト剤により印刷されたものであり、さらに該印刷面に無電解メッキを介して、または介さないで導電性メッキを施したことを特徴とする請求項１乃至５のいずれか１項に記載のアンテナパターン。
【請求項９】
前記メッシュ状または連続多角形のマイクロ画像要素線または併列要素線が、導電性粉体を混合した印刷インキまたはペースト剤により印刷されたものであり、さらに所定の加圧処理または／およびポリッシング処理を施したことを特徴とする請求項１乃至５のいずれか１項に記載のアンテナパターン。
【請求項１０】
前記メッシュ状または連続多角形のマイクロ画像要素線または併列要素線が、導電性粉体を混合した印刷インキまたはペースト剤により印刷されたものであり、さらに該印刷面に所定の加圧処理または／およびポリッシング処理を施し、さらにまた  該印刷面に無電解メッキを介して、または介さないで導電性メッキを施したことを特徴とする請求項１乃至５のいずれか１項に記載のアンテナパターン。
【請求項１１】
前記導電性粉体が、平均粒径０．００１〜１０μｍであり、Ｃｕ、Ｔｉ、Ｆｅ、Ｎｉ、Ｍｇ、Ｐｄ、Ａｇ、ＡｕまたはＣ、またはそれらの各合金の内より選ばれたものであることを特徴とする請求項７乃至１０のいずれか１項に記載のアンテナパターン。
【請求項１２】
前記導線が、アモルファス合金を構成要素としたものであることを特徴とする請求項１乃至５のいずれか１項に記載のアンテナパターン。
【請求項１３】
前記請求項１乃至１２のいずれか１項に記載のアンテナパターンを有することを特徴とする電磁波エネルギー処理装置。
【請求項１４】
前記請求項１乃至１２のいずれか１項に記載のアンテナパターンをシートまたは薄板上に設けたことを特徴とするシート状の電磁波エネルギー処理装置。
【請求項１５】
前記請求項１乃至１２のいずれか１項に記載のアンテナパターンをシートまたは薄板上に設け、さらにその上にコーティングもしくは薄いシートをラミネートしたことを特徴とするシート状の電磁波エネルギー処理装置。
【請求項１６】
前記請求項１乃至１２のいずれか１項に記載のアンテナパターンを有するアンテナであることを特徴とする請求項１３乃至１５のいずれか１項に記載の電磁波エネルギー処理装置。
【請求項１７】
前記請求項１乃至１２のいずれか１項に記載のアンテナパターンを有する電磁波遮断フィルタであることを特徴とする請求項１３乃至１５のいずれか１項に記載の電磁波エネルギー処理装置。
【発明の詳細な説明】
【技術分野】
【０００１】
本願発明は、テレビや携帯電話等に使用するアンテナパターンおよびそれを有する電磁波エネルギー処理装置、特にはシート状のアンテナ、電磁波遮断フィルタに関するものである。
【背景技術】
【０００２】
テレビや携帯電話の普及とともに、そのアンテナの形式も色々のものがでてきている。
しかしそのディスプレー画像の鮮明さは必ずしも満足し得るものとはなっていない。従ってディスプレーの画像の鮮明さが強くもとめられるようになってきた。また、受信周波数もＶＨＦ超短波やＵＨＦマイクロ波へとより高周波化が進んでおり、従ってそれに対応するアンテナにも工夫がなされている。（例えば、特許文献１参照）
また、車載用のディスプレーのためのアンテナとして、自動車の後部ガラス面に設けられるアンテナパターンにおいても色々な工夫がされている。（例えば、特許文献２参照）
また一方、各種の電磁波発生源、特に携帯電話などの電子機器類から伝搬される電磁波の人体への影響は深刻な社会問題となっている。
【特許文献１】特開２０００−４１２０号公報
【特許文献２】特開２０００−２５２７３２号公報
【発明の開示】
【発明が解決しようとする課題】
【０００３】
上記のように、市場要求として、より鮮明な画像を求める傾向が強くなり、しかも、鮮明画像を、基本的に実績を積み上げて設定された従来のアンテナパターンの画像を基本的に変更することなしに得んとする方策が強く求められてきた。
また、より多指向性に富む、より効率のよい電磁波遮断フィルタに対する要求がでてきている。
本願発明は、これらの要求に応えるものとして、基本的に従来のアンテナパターンの画像を変えることなく、より鮮明なディスプレー画像を得るためのことアンテナパターンを提供し、また、そのアンテナパターンを使用した電磁波エネルギー処理装置、特には、シート形のアンテナ、電磁波遮断フィルタを提供することをその目的としている。
【課題を解決するための手段】
【０００４】
本発明のアンテナパターンは、
１）  アンテナパターンであって、該アンテナパターンを構成する導線を、メッシュ状または連続多角形のマイクロ画像要素線による集合線または併列要素線による集合線で構成したものであり、
２）  上述１）において、前記メッシュ状または連続多角形のマイクロ画像要素線または併列要素線を、その線幅が５〜３００μｍ、線間ピッチ間隔が５〜１０００μｍとしたものであり、
３）  上述１）において、前記メッシュ状または連続多角形のマイクロ画像要素線または併列要素線を、その線幅が５〜５０μｍ、間線ピッチ間隔が５〜５００μｍとしたものであり、
４）  上述１）において、前記メッシュ状または連続多角形のマイクロ画像要素線または併列要素線を、その線幅が５〜３０μｍ、間線ピッチ間隔が５〜１５０μｍとしたものであり、
５）  上述１）において、前記メッシュ状または連続多角形のマイクロ画像要素線または併列要素線を、その線幅が３０〜３００μｍ、間線ピッチ間隔が５０〜１０００μｍとしたものである。
【０００５】
また、本発明のアンテナパタ−ンは、
６）  上述１）〜５）のいずれかにおいて、前記メッシュ状または連続多角形のマイクロ画像要素線または併列要素線が、印刷法またはエッチング方式を利用して作成されたものであり、
７）  上述１）〜５）のいずれかにおいて、前記メッシュ状または連続多角形のマイクロ画像要素線または併列要素線が、導電性粉体を混合した印刷インキまたはペースト剤により印刷されたものであり、
８）  上述１）〜５）のいずれかにおいて、前記メッシュ状または連続多角形のマイクロ画像要素線または併列要素線が、導電性粉体を混合した印刷インキまたはペースト剤により印刷し、さらに該印刷面に無電解メッキを介して、または介さないで導電性メッキを施されたものであり、
９）  上述１）〜５）のいずれかにおいて、前記メッシュ状または連続多角形のマイクロ画像要素線または併列要素線が、導電性粉体を混合した印刷インキまたはペースト剤により印刷し、さらに該印刷面に加圧処理またはポリッシング処理を施されたものであり、
１０）  上述１）〜５）のいずれかにおいて、前記メッシュ状または連続多角形のマイクロ画像要素線または併列要素線が、導電性粉体を混合した印刷インキまたはペースト剤により印刷し、さらに該印刷面に加圧処理またはポリッシング処理を施し、さらにまた該印刷面に無電解メッキを介して、または介さないで導電性メッキを施されたものであり、
１１）  上述７）〜９）のいずれかにおいて、前記導電性粉体が、平均粒径０．００１〜１０μｍであり、Ｃｕ、Ｔｉ、Ｆｅ、Ｎｉ、Ｍｇ、Ｐｄ、Ａｇ、ＡｕまたはＣ、またはそれらの各合金の内より選ばれたものである。
１２）上述１）〜５）のいずれかにおいて、前記導線が、アモルファス合金を構成要素としたものである。
【０００６】
さらに、本発明の電磁波エネルギー処理装置は、
１３）  上述１）〜１２）のいずれか１項の記載における、アンテナパターンを有するものであり、
１４）  上述１）〜１２）のいずれか１項に記載のアンテナパターンを、シートまたは薄板上に設けたものであり、
１５）  上述１）〜１２）のいずれか１項に記載のアンテナパターンを、シートまたは薄板上に設け、さらに、その上にコーティングもしくは薄いシートをラミネートしたものであり、
１６）  上述１）〜１２）のいずれか１項に記載のアンテナパターンを有するアンテナとしたものであり、
１７）  上述１）〜１２）のいずれか１項に記載のアンテナパターンを有する電磁波遮断フィルタとしたものである。
【０００７】
本発明は、導線を、従来単一線で構成されていたものをメッシュ状または連続多角形のマイクロ画像要素線の集合線または併列要素線で構成することによって、単一導線に較べ導線自身の指向性が多指向に向上され、また導線の実効長さにより広帯域性を付与することができ、また、ノイズフィルターとしての効果が得られる。
従って、従来の単一線で構成されていたアンテナパターンを変更することなく、その性能を向上することができる。
また、性能向上が期待できるところから、本発明の集合線または併列要素線で構成した導線を用いることにより従来のアンテナ自身を縮小またはパターン画像の簡易化を図ることができる。
【発明の効果】
【０００８】
本発明のアンテナパターンを構成する導線を、メッシュ状または連続多角形のマイクロ画像要素線の集合線または併列要素線で構成したことにより、広帯域の周波数に対応でき、また指向性が向上することにより、またノイズフィルターとしての効果により、ディスプレーのより鮮明な画像を得ることができる。これにより、ＵＨＦテレビ放送周波数帯域およびＶＨＦテレビ放送周波数帯域に十分対応し得、且つ、従来に較べ鮮明で安定した画像を期待し得るアンテナを供給することができる。
また、多指向性に富む効率のよい電磁波遮断用フィルターとしても応用することができる。
【発明を実施するための最良の形態】
【０００９】
本発明のアンテナパターンは、主として、家庭用や自動車車載用の平面的なアンテナのためのアンテナパターンであって、従来のフォトエッチングプロセス（以下エッチング方式という）等により作成されていた、Ｃｕメッキ等による単一の導線に対して、その導線そのものを、更にメッシュ状または連続多角形のマイクロ画像要素線の集合線または併列要素線で構成するところに特徴がある。
すなわち、マイクロ画像要素線が、井桁のメッシュ状画像または連続多角形、好ましくは多角形の連続画像、または併列要素線による集合線として導線を構成するところに本発明の特徴がある。
併列要素線は、直線的な併列要素線に限らず、併列する円弧状曲線または波形曲線、併列するギザギザ形の連続屈曲直線などで構成しても良い。
【００１０】
このように構成することにより、アンテナや電磁波遮断としての実質長さはアンテナパターンによる長さと、集合線としての長さをも期待することができ、広帯域の周波数ｆ（波長λ）に対応することが可能となり、多指向性を有するものとなる。
前記マイクロ画像要素線または併列要素線は、印刷法、主としてスクリーン法、パッド法、グラビア法、インクジェット法等により、作成することができる。しかも、これは印刷インキに導電性粉末を混合せた合成インキや導電性ペースト剤により印刷するのであり、構成される導線の仕様、印刷方法、含有される導電性粉末の性状や混合割合、印刷工程そのものおよびその後の工程の変化等に対し、各十分に対応するものを選択されなければならない。
【００１１】
勿論、本発明は、前記マイクロ画像要素線または併列要素線の作成を、現在の高度に発達したエッチング方式により導線を集合線として構成することを妨げるものではない。この場合は印刷法に比し、コスト的には不利となる。
【００１２】
前記合成インキに混入する導電性粉体は、平均粒径０．００１〜１０μｍであるＣｕ、Ｔｉ、Ｆｅ、Ｎｉ、Ｍｇ、Ｐｄ、Ａｇ、ＡｕまたはＣ、またはそれらの各合金の内より選んだものである。
粒径は、０．００１μｍ以下では製造が難かしくコストアップとなり、また１０μｍ以上では合成インキによる極細線の印刷が難しくなる。また、導電性粉体は良導電性であれば何でも利用可能であるが、コスト的、性能的にバランスのとれた材料が好ましい。より好ましくはＰｄ粉体が望ましい。
【００１３】
導線の要素線の巾ｔが３０〜３００μｍなど比較的大きい場合には、スクリーン印刷法やグラビア印刷法を用いることができ、この場合はインキとして導電性ペースト剤等を使用する。該導電性ペースト剤としては、ＡｇやＣｕの超微粉末が混入された、ポリエステル樹脂系やエポキシ樹脂系ベースのもの等を用いることができる。平均粒径０．５μｍ程度の超微粉末を使用することにより体積当たりの表面積が著しく増加し、良好な導電性が得られる。
【００１４】
一般的にアンテナパターンの長さは、通常受信電波の波長の１／４に設定される。従って、周波数の異なる電波、例えばＶＨＦH テレビ放送高周波帯、ＶＨＦL テレビ放送低周波帯、ＦＭラジオ放送帯などに対応させるためには、それぞれの適応長さをもって設定されなければならない。
本出願人は、アンテナパターンを細線の集合体により構成することにより広帯域に対応可能であることを発見した。また、該集合体の構成条件によりその性能が大きく変化することの知見を得た。
【００１５】
多くの実験の結果、好ましい要素線の集合体としては、格子状メッシュ形状または連続多角形のマイクロ画像要素線、例えば、連続多角形のマイクロ画像が好ましいものであることがわかった。なお、連続多角形としては、他に三角、四角、五角、六角および八角形等、また多角形以外の連続円弧画像も適用することができる。
該マイクロ画像要素線または併列要素線は、線幅が５〜３００μｍ、線間ピッチ間隔が５〜１０００μｍが好ましい。さらに好ましくは、線幅が５〜５０μｍ、線間ピッチ間隔が５〜５００μｍ、特には線幅を５〜３０μｍ、線間ピッチ間隔を５〜１５０μｍとしたものが望ましい。コスト的な面および量産性の点からは、線幅が３０〜３００μｍ、線間ピッチ間隔が５０〜１０００μｍとして、スクリーン法やグラビア法によるのが好ましい。  しかし、この場合は、集合密度が減少する分性能的には低下する。
【００１６】
すなわち、受信する周波数に広帯域に対応させるためには、細線の集合体の長手方向に伸延する本数が多いことが望ましく、また、電波の受信能力は、受信導体の表面積に比例するので、線幅及び線間ピッチ間隔も自ずから制限があり、数多くの実験より、前記の条件が好ましいとの知見を得たものである。
線幅が５μｍ以下では受信能力は急激に低下し、５０μｍ以上では細線の集合体本数が限定される。また、線間ピッチ間隔を５００μｍ以上では導線の画像が大きくなり、集合体本数が大きく限定され性能的には低下する。また線間ピッチ間隔を５μｍ以下では印刷による作業性が極めて悪くなり好ましくない。
【実施例１】
【００１７】
図１は、本発明の実施例１のアンテナパターンを示す図である。
図２は、図１における、Ａ部分の拡大参考図であり、集合線が格子状のメッシュ状マイクロ画像要素線の場合の１例を示すものである。
図において、１は、アンテナパターン、２は、導線、３は、メッシュ状マイクロ画像要素線である。
実施例１におけるアンテナパターンは、導線幅２ｍｍ、長線部長さ３９ｃｍ、短線部長さ２５ｃｍ、両線間の間隔３ｃｍとし、前記導線を格子状メッシュパターンの集合線とし、線幅２０μｍ、線間ピッチ間隔を１００μｍとし、平均粒径１μｍのＰｄ粉末を混入せる合成インキによりオフセット印刷により印刷した。印刷面に無電解法により厚さ約１μｍのＣｕメッキを行った。
比較のために、同一画像によるアンテナパターンとして、フォトエッチング方式により上記導線を非集合線でなく一体線としてＣｕメッキしたアンテナパターンのものを比較品１として作成した。
【００１８】
上記をテレビ用アンテナとして、標準的な市販テレビ受像器に室内アンテナとして接続し、画像の鮮明度合いを目視により比較した。
結果、比較品１では、ＶＨＦ受信画像としては良好であったが、ＵＨＦ受信画像は多少画像面の鮮明さが悪化し、画像ブレが認められた。これに対し、本実施例１によるものは、ＶＨＦ受信画像としても、また、ＵＨＦ受信画像としても各チャンネルにて鮮明な画像が得られることを確認した。
【実施例２】
【００１９】
図３は、本発明の実施例２における、Ａ部分の拡大参考図であり、集合線が、連続多角形状マイクロ画像要素線の場合の１例を示すものである。
図において、４は、連続多角形状マイクロ画像要素線である。
実施例２におけるアンテナパターンは、実施例１と同様に、導線幅２ｍｍ、長線部長さ３９ｃｍ、短線部長さ２５ｃｍ、両線間の間隔３ｃｍとし、前記導線を格子状メッシュパターンの集合線とし、線幅２０μｍ、連続多角形状の対辺間ピッチを１００μｍとし、平均粒径１μｍのＰｄ粉末を混入せる合成インキによりオフセット印刷により印刷した。印刷面に無電解法により厚さ約１μｍのＣｕメッキを行った。
比較のために同一画像によるアンテナパターンとして、フォトエッチング方式により上記導線を非集合線でなく一体線として１μｍ厚さのＣｕメッキをしたアンテナパターンのものを比較品２として作成した。
【００２０】
実施例１と同様に、上記をテレビ用アンテナとして、標準的な市販テレビ受像器に室内アンテナとして接続し、画像の鮮明度合いを目視により比較した。
結果、比較品では、ＶＨＦ受信画像としては良好であったが、ＵＨＦ受信画像は実施例１の比較品１に比べ多少良好ではあるが画像面のブレが認められた。これに対し、本実施例２によるものは、ＶＨＦ受信画像としても、また、ＵＨＦ受信画像としても各チャンネルにても極めて良好で鮮明な画像が得られることを確認した。
【実施例３】
【００２１】
図４は、本発明の実施例３における、Ａ部分の拡大参考図であり、集合線が併列集合線の場合の１例を示すものである。
図において、５は、直線的な併列集合線である。
実施例３におけるアンテナパターンは、実施例１と同様に、導線幅２ｍｍ、長線部長さ３９ｃｍ、短線部長さ２５ｃｍ、両線間の間隔３ｃｍとし、前記導線を併列集合線とした。線幅２０μｍ、線間ピッチを１００μｍとし、平均粒径１μｍのＰｄ粉末を混入せる合成インキによりオフセット印刷により印刷した。印刷面に無電解法により厚さ約１μｍのＣｕメッキを行った。
比較のために同一画像によるアンテナパターンとして、フォトエッチング方式により上記導線を非集合線でなく一体線として１μｍ厚さのＣｕメッキしたアンテナパターンのものを比較品３として作成した。
【００２２】
実施例１と同様に、上記をテレビ用アンテナとして、標準的な市販テレビ受像器に室内アンテナとして接続し、画像の鮮明度合いを目視により比較した。
結果、比較品３では、ＶＨＦ受信画像としては良好であったが、ＵＨＦ受信画像は、比較品１、２に比べ画像面のブレが認められた。これに対し、本実施例３によるものは、ＶＨＦ受信画像としても、また、ＵＨＦ受信画像としても各チャンネルにても良好であったが、実施例１、２の場合に比較して画像品質は若干落ちることが確認された。
【実施例４】
【００２３】
実施例２のアンテナパターンに、さらに表面をプラスチックの約５０μｍの着色コーティングをし、受信性能を比較した。着色コーティングによる影響は殆ど認められなかった。これにより、前記着色コーティング表面に対し、キャラクタ等の画像をプリントし、本願発明のアンテナパターンによる平面アンテナを、室内装飾用として使用できることを確認した。
【実施例５】
【００２４】
図５のごとくアンテナパターンを、導線の幅ｔ２ｍｍ、導線間ピッチｐ１０ｍｍ、導線の長さＬ２００ｍｍ、本数ｎ１０本の平行線パターンとし、前記導線を頂角６０°の連続縦菱形集合線とした。  図１において、１はアンテナパターン、２は導線、４はマイクロ画像要素線、６は共通電極、６１はコイル、ｔは導線巾、ｐは導線間ピッチ、Ｌは導線長さ、θは頂角である。
【００２５】
該アンテナパターンを構成するマイクロ画像要素線を連続縦菱形集合線とし、Ａ）線幅２０μｍ、線間ピッチを１００μｍの極細線の集合線として、平均粒径１μｍのＣｕ粉末を混入せる合成インキにより精密オフセット印刷したもの、Ｂ）線幅７０μｍ、線間ピッチを５００μｍの集合線として、平均粒径１μｍのＣｕ粉末を混入せる導電性ペースト剤によりスクリーン印刷法により印刷したものを作製し、電磁波シールディング効果をＡＳＴＭ  ＥＳ・７・８３により比較試験した。
測定結果は、測定値の同一周波数におけるバラツキも大きく、絶対値による比較は得られなかったが、アベレージとしてのシールディング効果は有意差ありと推定され、ＡはＢの約２倍程度のシールディング効果を示した。Ｂは、約３５ｄＢ程度であった。
アンテナパターンの選択により、電磁波遮断効果を期待することができることがわかった。
【産業上の利用可能性】
【００２６】
本願発明のアンテナパターンは、実施例においてテレビアンテナ用として説明されているが、周波数の広帯域に適用できるものであり、ラジオ、ＦＭ、タクシーなどの移動無線、レーダ用等の受信または送信アンテナとして使用でき、また各種の電磁波遮断装置として使用することができる。
【図面の簡単な説明】
【００２７】
【図１】本発明の実施例１のアンテナパターンを示す参考図である。
【図２】図１における、Ａ部分の拡大参考図であり、集合線が極細のメッシュ状マイクロ画像要素線の場合の１例を示すものである。
【図３】本発明の実施例２における、Ａ部分の拡大参考図であり、集合線が極細の連続多角形状マイクロ画像要素線の場合の１例を示すものである。
【図４】本発明の実施例３における、Ａ部分の拡大参考図であり、集合線が極細の併列集合線の場合の１例を示すものである。
【図５】本発明の実施例５におけるアンテナパターンを示す参考図である。
【符号の説明】
【００２８】
１  アンテナパターン
２  導線
３  メッシュ状マイクロ画像要素線
４  連続多角形状マイクロ画像要素線
５  極細の併列集合線
６  共通電極
６１コイル
ｔ  導線巾
ｐ  導線間ピッチ
Ｌ  導線長さ
【図１】
2005167980.tif 000003
【図２】
2005167980.tif 000004
【図３】
2005167980.tif 000005
【図４】
2005167980.tif 000006
【図５】
2005167980.tif 000007